(57)【要約】【課題】集塵ケースのフィルタの除塵を自動的に行うことにより、吸引力の低下を防止することのできる電気掃除機を提供する。【解決手段】通風口７２が設けられた隔壁７の上流側に集塵ケース３０が着脱自在に収容される集塵ケース収容部２を有し、隔壁７の下流側に電動送風機１４が設けられてホースアッセンブリが接続される掃除機本体１を有し、集塵ケース３０の下流側開口部に装着され、下流側の面の横方向に帯状部１４６が設けられたフィルタ１４０と、上下方向の一端が、隔壁７の通風口７２の上流側に着脱可能に装着された振動板ケース１０に軸止され、他端の上流側の面にフィルタ１４０に設けた帯状部１４６に対応して突出部１１５が設けられた振動板１１と、振動板１１を振動させてその突出部１１５をフィルタ１４０の帯状部１４６に衝突させ、フィルタ１４０に振動を伝達させる動力伝達部１２とを備えた。【選択図】図１
2008006079.tif 000002
【特許請求の範囲】
【請求項１】
通風口が設けられた隔壁の上流側に集塵ケースが着脱自在に収容される集塵ケース収容部を有し、前記隔壁の下流側に電動送風機が設けられてホースアッセンブリが接続される掃除機本体を有し、
前記集塵ケースの下流側開口部に装着され、下流側の面の横方向に帯状部が設けられたフィルタと、
上下方向の一端が、前記隔壁の通風口の上流側に着脱可能に装着された振動板ケースに軸止され、他端の上流側の面に前記フィルタに設けた帯状部に対応して突出部が設けられた振動板と、
該振動板を振動させてその突出部を前記フィルタの帯状部に衝突させ、該フィルタに振動を伝達させる動力伝達部とを備えたことを特徴とする電気掃除機。
【請求項２】
前記集塵ケースの下流側開口部に装着されたフィルタは、前記集塵ケースの下流側開口部に対応する形状の枠体と、該枠体に取付けられたフィルタ部材と、該フィルタ部材の下流側の面の横方向に設けた帯状部とを備えたことを特徴とする請求項１記載の電気掃除機。
【請求項３】
前記帯状部を、前記枠体の上辺に接して設けたことを特徴とする請求項２記載の電気掃除機。
【請求項４】
前記帯状部を、前記枠体の上辺との間にすき間を設けて設けたことを特徴とする請求項２記載の電気掃除機。
【請求項５】
前記帯状部の上縁に複数のリブを設け、これらリブの上端部を前記枠体の上辺に一体的に当接したことを特徴とする請求項４記載の電気掃除機。
【請求項６】
前記帯状部を、前記フィルタ部材の上下方向のほぼ中央部に設けたことを特徴とする請求項２記載の電気掃除機。
【請求項７】
前記帯状部の上下縁にそれぞれ複数のリブを設け、これらリブの上端部及び下端部を前記枠体の上辺と下辺にそれぞれ一体的に当接したことを特徴とする請求項６記載の電気掃除機。
【請求項８】
前記帯状部を、前記フィルタ部材の中央部より下方に設けたことを特徴とする請求項２記載の電気掃除機。
【請求項９】
前記帯状部の下流側の面を凹凸状に形成したことを特徴とする請求項１〜８のいずれかに記載の電気掃除機。
【請求項１０】
前記集塵ケースの下流側開口部に装着されたフィルタのフィルタ部材を、プリーツ状に形成したことを特徴とする請求項１〜９のいずれかに記載の電気掃除機。
【請求項１１】
前記帯状部を櫛状に形成し、その櫛歯をプリーツ状のフィルタ部材のひだの間に挿入して取付けたことを特徴とする請求項１０記載の電気掃除機。
【請求項１２】
前記振動板ケースを、上部が幅広に形成された四角形状の枠体を有し、該枠体の両側に支持部を設けると共に前記幅広部に貫通穴を設け、下流側に前記隔壁の通風口に係止する係止片を設けて構成したことを特徴とする請求項１記載の電気掃除機。
【請求項１３】
前記振動板ケースの下流側にフィルタ部材を取付けたことを特徴とする請求項１２記載の電気掃除機。
【請求項１４】
前記振動板を、前記振動板ケースのほぼ２分の１の高さで上下方向の一方の側に幅広部が設けられ、上下方向の他方の側の両側に前記振動板ケースの支持部に軸支される支持軸が設けられた枠体を有し、前記幅広部の上流側に前記集塵ケースの下流側開口部のフィルタに設けた帯状部に対応して突出部を設けると共に、該幅広部の下流側に前記振動板ケースの貫通穴に挿入されるピンを設けて構成したことを特徴とする請求項１，１２又は１３のいずれかに記載の電気掃除機。
【請求項１５】
前記振動板に設けた突出部の上流側の面を凹凸状に形成したことを特徴とする請求項１又は１４記載の電気掃除機。
【請求項１６】
前記動力伝達部を、電動機と、該電動機の回転軸に連結された偏心カムと、棒体を有し前記偏心カムに駆動されて間欠的に水平方向に移動するシリンダとからなり、該シリンダの棒体を、前記隔壁に設けられ上流側に前記振動板のピンが当接する弾性体の下流側に当接して構成したことを特徴とする請求項１，１４又は１５のいずれかに記載の電気掃除機。
【発明の詳細な説明】
【技術分野】
【０００１】
本発明は、電気掃除機に係り、より詳しくは、フィルタの目詰まりによる吸引力の低下を防止することのできる電気掃除機に関するものである。
【背景技術】
【０００２】
従来の電気掃除機に、制御手段の制御により振動する振動子で掃除機本体の隔壁に面する集塵袋の面を叩いて、電動送風機の吸気部に面する集塵袋の面に強く付着した塵埃を除塵し、吸引力の低下を防止するようにしたものがある（例えば、特許文献１参照）。
【０００３】
【特許文献１】特開平５−９１９６２号公報（第２―３頁、第１図）
【発明の開示】
【発明が解決しようとする課題】
【０００４】
特許文献１に記載された電気掃除機は、集塵袋が設置されている集塵室と、電動送風機が収容された電動送風機室とがシールされた構造となっているため、やはり吸引力が低下してしまうという問題があった。
【０００５】
本発明は、上記の課題を解決するためになされたもので、集塵ケースのフィルタの除塵を自動的に行うことにより、吸引力の低下を防止することのできる電気掃除機を提供することを目的としたものである。
【課題を解決するための手段】
【０００６】
本発明に係る電気掃除機は、通風口が設けられた隔壁の上流側に集塵ケースが着脱自在に収容される集塵ケース収容部を有し、前記隔壁の下流側に電動送風機が設けられてホースアッセンブリが接続される掃除機本体を有し、前記集塵ケースの下流側開口部に装着され、下流側の面の横方向に帯状部が設けられたフィルタと、上下方向の一端が、前記隔壁の通風口の上流側に着脱可能に装着された振動板ケースに軸止され、他端の上流側の面に前記フィルタに設けた帯状部に対応して突出部が設けられた振動板と、該振動板を振動させてその突出部を前記フィルタの帯状部に衝突させ、該フィルタに振動を伝達させる動力伝達部とを備えたものである。
【発明の効果】
【０００７】
本発明によれば、動力伝達部により高速度で振動する振動板に設けた突出部を、集塵ケースの下流側開口部に設けたフィルタの帯状部に衝突させ、フィルタ部材を振動させてこれに付着した塵埃等を剥離して落下させるようにしたので、フィルタの目詰まりによる吸引力の低下を確実に防止することができる。
【発明を実施するための最良の形態】
【０００８】
図２は本発明に係る電気掃除機の全体構成を示す斜視図である。
後述の集塵ケースが収容され、電動送風機が内蔵された掃除機本体１の前面側（図の左側）に設けた吸込口４には、ホースアッセンブリ２００のホース２０１の一端に設けたホース接続具２０２が着脱自在に接続されており、ホース２０１の他端には電源スイッチ、操作スイッチ等の操作部２０４を有する手元ハンドル２０３が設けられている。そして、一端が手元ハンドル２０３に着脱自在に接続された延長管２０５の他端には、床用吸込具２０６が着脱自在に接続されている。なお、２１は掃除機本体１の底部前面側に設けたキャスタ、２２は後面側の両側面に設けた一対の後輪、２３は掃除機本体１に内蔵された巻取りリール（図示せず）に巻かれた電源コードである。
【０００９】
［実施の形態１］
図１は本発明の実施の形態１に係る電気掃除機の掃除機本体の断面図である。
掃除機本体１の前面側１（以下の説明では、図の左側を前面側又は上流側といい、右側を後面側又は下流側という）には、後述の集塵ケース３０が収容される集塵ケース収容部２が設けられており、その底板から立上った前壁３には、ホース２０１のホース接続具２０２が着脱自在に接続される吸込口４と連通する通気穴５が設けられており、通気穴５の内周縁にはシールパッキン６が装着されている。
【００１０】
７は格子状の通気口７２が設けられた集塵ケース収容部２の後壁（以下、隔壁という）で、その前面側には、振動板１１を有し、後面側にフィルタが設けられた振動板ケース１０が着脱可能に装着されている。１２は隔壁７の後面側上部に設けられた振動板１１への動力伝達部である。
１３は隔壁７の下流側に設けられた電動機室で、吸引風を発生する電動送風機１４が収容されており、その空気吸入部１５は隔壁７の通気口７２に連通している。
【００１１】
１６は電動機室１３の上部に設けられてた制御部で、ホースアッセンブリ２００の手元ハンドル２０３の操作部２０４に接続されている。１７は掃除機本体１の後壁上部に設けた排気口、１８は掃除機本体１の上部に回動可能に軸支され、集塵ケース収容部２の上部開口部を開閉する開閉蓋、１９はハンドル、２０は開閉蓋１８及び集塵ケース３０のロック手段である。
【００１２】
図３は隔壁７に設けた通風口７２、振動板ケース１０及びこの振動板ケース１０に装着される振動板１１の斜視図である。
隔壁７の前面側には四角形状の凹部７１が形成されており、この凹部７１には格子状に形成された円形の通気口７２が設けられている。７３は通気口７２の下部に形成された第１の係止部、７４は通気口７２の上部に設けられた第２の係止部、７５は中心部に凹部７６が形成され、通気口７２の上部に設けた貫通穴（図示せず）に装着されて、後述の動力伝達部１２の棒体１２７が凹部７６の底部に当接するゴムパッキンの如き変形自在の弾性体である（図５参照）。
【００１３】
振動板ケース１０は、樹脂成型品からなり隔壁７の凹部７１に嵌入されるほぼ四角形状で、その上部が幅広に形成された枠体１０１を有し、枠体１０１内には縦横に組合わせた格子部１０２が形成されている。また、枠体１０１の前面側の上縁部と左右の縁部の大部分には、前面側に突出する突縁１０３が形成され、この突縁１０３の枠体１０１の上下方向のほぼ中間部には、嵌合穴１０５を有する支持部１０４ａ，１０４ｂが突設されている。
【００１４】
１０６は枠体１０１の上部幅広部において、隔壁７の弾性体７５に対応して設けられた貫通穴、１０７は枠体１０１の下面に突設され、隔壁７の通風口７２に設けた第１の係止部７３に係止する第１の係止片である。１０８は幅広部の左右方向のほぼ中央部において後面側に突設され、隔壁７の通風口７２に設けた第２の係止部７４に係止する第２の係止片、１０９は隔壁７に着脱する際に指を掛ける指掛部である。なお、図示してないが、この振動板ケース１０の背面側にはフィルタ部材が装着される。
【００１５】
振動板１１は、樹脂成型品からなり振動板ケース１０のほぼ２分の１の高さで、振動板ケース１０の突縁１０３の内側に挿入される長方形状の枠体１１１を有し、その内側には縦横に組合わされた格子部１１２が形成されている。１１３ａ，１１３ｂは枠体１１１の側壁の下部に、外方に向って突設された支持軸で、振動板ケース１０の支持部１０４ａ，１０４ｂの嵌合穴１０５に回動自在に嵌入される。１１４は上部の幅広部の後面側から突設され、振動板ケース１０の貫通穴１０６に挿入されるピンである。１１５ａ，１１５ｂは枠体１１１の上部幅広部の前面側において、指掛部１１６の両側の横方向に設けられ、前面側が例えば波形の凹凸面に形成された突出部である。
【００１６】
上記のように構成した振動板１１は、図４に示すように、突出部１１５ａ，１１５ｂを前面側にして振動板ケース１０の突縁１０３内に挿入されて、その支持軸１１３ａ，１１３ｂが支持部１０４ａ，１０４ｂの嵌合穴１０５に嵌入され、また、ピン１１４が貫通穴１０６に挿入されて支持される。なお、振動板１１が外れるのを防止するために、突縁１０３の内壁の前面側に突部などの外れ防止手段を設けてもよい。
【００１７】
このようにして振動板１１が取付けられた振動板ケース１０は、振動板１１を前面側にして隔壁７の凹部７１内に挿入され、その第１の係止片１０７を第１の係止部７３に係止すると共に、第２の係止片１０８を第２の係止部７４に係止させて、通風口７２の前面側に装着される。このとき、振動板１１のピン１１４は、隔壁７に設けた弾性体７５の凹部７６に当接し、支持軸１１３ａ，１１３ｂを軸に僅かに前後に回動（変位）しうるようになっている。
【００１８】
次に、図５，図６により動力伝達部１２について説明する。
この動力伝達部１２は、隔壁７の後面側に取付けられたケース１２１内に収容され、制御部１６に接続された直流電動機１２２と、この直流電動機１２２の回転軸１２３に連結された偏心カム１２４と、この偏心カム１２４の外周に設けられて一部がこれに摺接するカム連動部１２６、及び円柱状の棒体１２７を有するピストン１２５とからなり、このピストン１２５は、ケース１２１に設けた軸受１２８に支持されて水平方向（前後方向）に摺動自在に保持されており、棒体１２７の先端部は、隔壁７に設けた弾性体７５の凹部７６の底部に当接する。
【００１９】
上記のように構成した動力伝達部１２は、直流電動機１２２に直流電圧が印加されて回転すると、その回転軸１２３に連結された偏心カム１２４が回転する。いま、図５（ｂ）に示すように、偏心カム１２４が図の左方（前面側）に偏心すると、これに摺接するピストン１２５は偏心カム１２４に駆動されて図の左方に移動し、その棒体１２７に押されて弾性体７５が凸状に変形し、これに当接する振動板１１のピン１１４が矢印方向（前面側）に移動する。これにより、振動板１１は、支持軸１１３ａ，１１３ｂを軸にその上部が前面側に回動（変位）して、その突出部１１５ａ，１１５ｂが後述の集塵ケース３０の第２のフィルタ１４０の帯状部１４６に衝突する。
【００２０】
ついで、図５（ａ）に示すように、偏心カム１２４が図の右方（後面側）に偏心すると、これに駆動されてピストン１２５も右方に移動する。これにより、振動板１１は、集塵ケース３０の第２のフィルタ１４０の帯状部１４６に衝突した反力により元の位置に戻り、弾性体７５はピン１１４に押されて再び図５（ａ）の状態に戻る。
このような動作を繰返すことにより、振動板１１の上部が高速度で前後に変位して振動し、集塵ケース３０のフィルタ１４０の帯状部１４６に衝突する。なお、動力伝達部１２は上記の構成に限定するものではなく、振動板１１に振動を発生させるものであれば、他の構造のものであってもよい。
【００２１】
集塵ケース３０は、図７に示すように、前面側に通気穴５を介して吸込口４と連通する吸込穴３２を有し、後面側が開口されて（以下、開口部３３という）、天板が前面側に傾斜して箱状に形成され、天板上に提げ手３４が設けられた本体部３１と、本体部３１の開口部３３を開閉するフィルタ組立体１３０とからなっている。
【００２２】
フィルタ組立体１３０は、図８に示すように、複数のフィルタ（図には３個の場合が示してある）１３１，１４０，１６０からなっている。上流側に位置するフィルタ１３１は、上部が幅広で下部が幅狭の周壁を有し、上流側外周にシールパッキン１３３が介装されて本体部３１の外周に当接する枠体１３２と、枠体１３２に装着された板状のフィルタ部材１３４とからなり、下部に設けたヒンジ腕１３５ａ，１３５ｂのヒンジ軸１３６が、本体部３１の底部に設けたヒンジ受３５のヒンジ穴（図示せず）に内側から嵌合するようになっている。
【００２３】
第２のフィルタ１４０は、外周に第１のフィルタ１３１の枠体１３２に当接する鍔部１４２と、上面に櫛状部１４４が形成され第１のフィルタ１３１の枠体１３２内に挿入される枠部１４３とからなる枠体１４１を有し、枠部１４３内にはプリーツ状のフィルタ部材１４５が装着されて、その外周が枠部１４３に一体に接合されている。
【００２４】
そして、第２のフィルタ１４０のフィルタ部材１４５の下流側の上部（この位置は、集塵ケース３０を集塵ケース収容部２に収容したときに、隔壁７の通風口７２に設けた振動板１１の突出部１１５ａ，１１５ｂと対向する）には、図９に示すように、横方向の全長にわたって樹脂成型品からなる帯状部１４６が設けられており、この帯状部１４６は、図１０に示すように、下流側が例えば波形の凹凸面１４７に形成された櫛状の部材の櫛歯１４８を、プリーツ状のフィルタ部材１４５のひだに一体成形したものである。
【００２５】
また、鍔部１４２の上部には、本体部３１のロック部３６に係止する係止部１５０ａ，１５０ｂが設けられており、鍔部１４２の下部にはヒンジ腕１５１ａ，１５１ｂが設けられて、そのヒンジ軸１５２が本体部３１の底部に設けたヒンジ受３５のヒンジ穴に外側から嵌合するようになっている。なお、鍔部１４２の両面にはパッキン１５３が装着され、隔壁７と密着して集塵ケース収容部２と電動機室１３との間をシールするようになっている。
【００２６】
第３のフィルタ１６０は、第２のフィルタ１４０の枠部１４３に対応する大きさの枠体１６１に板状のフィルタ部材１６２を装着したもので、その下部が第２のフィルタ１４０の枠部１４３に回動自在に装着されている。
上記のように構成したフィルタ組立体１３０は、ヒンジ部を介して集塵ケース３０の底部に回動可能に装着され、ヒンジ部を軸に上方に回転して、第２のフィルタ１４０に設けた係止部１５０ａ，１５０ｂを本体部３１のロック部３６に係止することにより、本体部３１の開口部３３を気密に閉止する。
【００２７】
以上、集塵ケース３０の開口部３３に着脱可能に装着されるフィルタ組立体１３０について説明したが、フィルタ組立体１３０を構成する複数のフィルタのそれぞれの構造はこれに限定するものではなく、また２個又は４個以上のフィルタで構成してもよい。さらに、１個のフィルタで構成してもよく、要は下流側に振動板１１の突出部１５０ａ，１５０ｂと対向する位置に帯状部１４６を備えたものであればよい（他の実施の形態においても同様である）。
【００２８】
次に、上記のように構成した本実施の形態の作用について説明する。
先ず、開閉蓋１８を開放して、振動板１１が取付けられた振動板ケース１０を集塵ケース収容部２の上方から挿入し、隔壁７の通風口７２の上流側に装着する。このとき、振動板１１のピン１１４が隔壁７に設けた弾性体７５に当接する。ついで、フィルタ組立体１３０により開口部３３が閉塞された集塵ケース３０を、集塵ケース収容部２内に上方から挿入して圧下し、開閉蓋１８を閉じる。このとき、フィルタ組立体１３０の最下流側に設けた第２のフィルタ１４０の帯状部１４６が、振動板１１の突出部１１５ａ，１１５ｂと対向する。
【００２９】
次に、掃除機本体１の吸込口４にホース２０１のホース接続具２０２を接続し、電源コード２３をコンセントに接続する。ついで、手元ハンドル２０３の操作部２０４の電源スイッチをＯＮし、電動送風機１４を駆動する。
そして、手元ハンドル２０３を持って床等の上に吸込具２０６を移動させれば、床等の上の塵埃等が空気と共に吸引され、ホースアッセンブリ２００を経て吸込口４から集塵ケース３０内に吸込まれる。
【００３０】
集塵ケース３０内の吸込まれた塵埃等は、集塵ケース３０内に補集され、粉塵を含んだ空気はフィルタ組立体１３０の第１，第３，第２のフィルタ１３１，１４０，１６０及び振動板ケース１０のフィルタによって清浄化され、電動機室１３に吸込まれて電動送風機１４を冷却し、ついで制御部１６を冷却したのち排気口１７から排気される。このとき、塵埃等の一部がフィルタ組立体１３０の各フィルタ部材１３４，１６２，１４５に付着する。
【００３１】
本実施の形態においては、掃除が終わったのち、さらに、操作部２０４の切スイッチを押すと、制御部１６を介して動力伝達部１２の直流電動機１２２に直流電圧を印加し、前述の要領で動力伝達部１２を駆動する。
動力伝達部１２の偏心カム１２４の回転に伴って、振動板１１のピン１１４が高速でかつ間欠的に前後に移動し、これにより、振動板１１は支持軸１１３ａ，１１３ｂを中心にその上部が前後に振動する。この振動板１１の振動は、その突出部１１５ａ，１１５ｂが衝突する第２のフィルタ１４０に設けた帯状部１４６を介して第２のフィルタ１４０のフィルタ部材１４５に伝達され、フィルタ部材１４５を振動させる。
【００３２】
いま、動力伝達部１２の直流電動機１２２の回転数を例えば６０００ｒ．ｐ．ｍ．とすると、振動板１１は１分間に６０００回振動して第２のフィルタ１４０のフィルタ部材１４５に伝達され、第２のフィルタ１４０を振動させて、プリーツ状のフィルタ部材１４５に付着した塵埃等を剥離させ、効率よく集塵ケース３０の底部に落下させる。また、第３，第１のフィルタ１６０，１３１にもこの振動が伝播され、フィルタ部材１６２，１３４に付着した塵埃等を落下させる。
このような作業を、例えば２〜１０秒間行うことにより、フィルタに付着した塵埃等を効率よく除去することができる。
【００３３】
本実施の形態は、上記のように構成したので、集塵ケース３０の開口部３３に設けたフィルタに付着した塵埃等を、フィルタに手を触れることなく剥離して落下させ、除去することができ、これにより、フィルタの目詰まりによる吸引力の低下を確実に防止することができる。
また、振動板１１に設けた突出部１１５ａ，１１５ｂと、これが衝突するフィルタに設けた帯状部１４６の対向面を、例えば波形の凹凸面１４７で形成したので、突出部１１５ａ，１１５ｂの前後左右の振動がフィルタの帯状部１４６に確実に伝達されてフィルタを振動させることができるため、フィルタに強固に付着した塵埃等も効率よく落下させ、除去することができる。
【００３４】
さらに、プリーツ状のフィルタの下流側のひだの間に櫛歯１４８が挿入される櫛状の帯状部１４６を設けたことにより、フィルタの形状を保持することができるので、フィルタの強度を向上することができると共に、圧損を低減することができる。さらに、フィルタのプリーツ形状を保持できることにより、塵溜りを防止することができる。
【００３５】
［実施の形態２］
図１１〜図１５は本発明に係る電気掃除機の集塵ケースの開口部に装着される実施の形態２に係る１個又は複数個のフィルタの下流側のフィルタの説明図である。なお、実施の形態１に係る第２のフィルタと同じ部分にはこれと同じ符号を付してある。
【００３６】
図１１のフィルタ１４０は、実施の形態１の第２のフィルタ１４０とほぼ同様に外周に鍔部１４２を有し、上面に櫛状部が形成された枠体１４１と、枠体１４１内に挿入されて周囲が枠部１４３に接合されたプリーツ状のフィルタ部材１４５とからなり、枠体１４１の上辺から所定のすき間を隔てて、図１０に示すように、下流側が例えば波形の凹凸面１４７に形成された櫛状の帯状部１４６を、その櫛歯１４８をプリーツ状のフィルタ部材１４５のひだに一体成形したものである。なお鍔部１４２にはパッキン１５３が装着されている。
【００３７】
上記のように構成したフィルタ１４０によれば、枠体１４１の上辺から所定のすき間を隔てて帯状部１４６を設けたので、振動板１１に設けた突起部１１５ａ，１１５ｂが衝突した際に、プリーツ状のフィルタ部材１４５がより振動し易くなり、塵落し効果をさらに向上することができる。
【００３８】
図１２のフィルタ１４０は、図１１のフィルタ１４０とほぼ同じ構成があるが、さらに、帯状部１４６の上縁に複数のリブ１４６ａを設け、このリブ１４６ａを枠体１４１の上辺に一体的に当接したものである。なお、この場合、リブ１４６ａの上流側（図の背面側）を楔状に形成して、プリーツ状のフィルタ部材１４５のひだの間に挿入するようにしてもよい。
上記のように構成したフィルタ１４０によれば、帯状部１４６と枠体１４１の上辺とをリブ１４６ａで連結したので、振動板１１から伝達される振動によりプリーツ状のフィルタ部材１４５がより振動し易くなると共に、その振動がリブ１４６ａを介して枠体１４１に伝達されるため、フィルタ１４０全体をさらに効果的に振動させることができる。
【００３９】
図１３のフィルタ１４０は、図１１のフィルタ１４０とほぼ同じ構成であるが、本例においては、帯状部１４６を、プリーツ状のフィルタ部材１４５の上下方向のほぼ中央部に設けたものである。
上記のように構成したフィルタ１４０によれば、帯状部１４６をフィルタ部材１４５の上下方向のほぼ中央部に設けたので、振動板１１の振動をフィルタ部材１４５の上下にほぼ均等に伝達することができるので、塵落し効果をより向上させることができる。
【００４０】
図１４のフィルタ１４０は、図１１のフィルタ１４０とほぼ同じ構成であるが、本例においては、帯状部１４６を、プリーツ状のフィルタ部材１４５の上下方向の中央部より下方に設けたものである。
上記のように構成したフィルタ１４０によれば、帯状部１４６をフィルタ部材１４５の上下方向の中央部より下方に設けたので、振動板１１から伝達された振動により、フィルタ部材１４５の下部に付着した塵埃を、集塵ケース３０の下部に溜まった塵埃と固まることなく剥すことができるため、ゴミ捨て性を向上することができる。
【００４１】
図１５のフィルタ１４０は、図１１のフィルタ１４０とほぼ同じ構成であるが、本例においては、帯状部１４６を、プリーツ状のフィルタ部材１４５の上下方向のほぼ中央部に設けると共に、その上下縁にそれぞれ複数のリブ１４６ａを設け、このリブ１４６ａを枠体１４１の上辺と下辺に一体的に当接したものである。なお、このリブ１４６ａは上下同一線上に設けてもよく、あるいは上下交互に設けてもよい。また、この場合リブ１４６ａの上流側を楔状に形成し、プリーツ状のフィルタ部材１４５のひだの間に挿入するようにしてもよい。
【００４２】
上記のように構成したフィルタ１４０によれば、帯状部１４６と枠体１４１の上下辺をリブ１４６ａにより当接したので、振動板１１からの振動を、フィルタ部材１４５及び枠体１４１の全体に伝達することができるため、塵落しを効果をより向上させることができる。
【００４３】
上記のような本実施の形態においては、フィルタ部材１４５への帯状部１４６の取付位置を種々変更したので、フィルタ部材１４５に振動を伝達するための振動板１１の突出部１１５ａ，１１５ｂを、帯状部１４６の位置に対応して変更することが必要である。
【００４４】
特に、図１３，図１５の場合は、帯状部１４６がフィルタ１４０の上下方向のほぼ中央部に設けられているので、これに振動を伝達する振動板１１は、例えば、振動板ケース１０の枠体１０１の下端部に支持部１０４ａ，１０４ｂを設け、この支持部１０４ａ，１０４ｂに支持軸１１３ａ，１１３ｂを支持させ、あるいは、振動板１１の枠体１１１の上部に支持軸１１３ａ，１１３ｂを設けると共に、下部に前面側に突出部１１５ａ，１１５ｂを設けて、振動板ケース１０の枠体１０１の上部に設けた支持部１０４ａ，１０４ｂに支持させるなどして、フィルタ１４０に設けた帯状部１４６に突出部１１５ａ，１１５ｂを対向させることが必要である。
【００４５】
また、図１４の場合は、振動板１１の枠体１１１の上部に支持軸１１３ａ，１１３ｂを設けると共に、下部前面側に突出部１１５ａ，１１５ｂを設けて、振動板ケース１０の上下方向のほぼ中央部に設けた支持部１０４ａ，１０４ｂに支持させるなどして、フィルタ１４０に設けた帯状部１４６に突出部１１５ａ，１１５ｂを対向させることが必要である。なお、これらいずれの場合においても、振動板１１の突出部１１５ａ，１１５ｂの後面側にピン１１４を設け、これに対応して振動板ケース１０の貫通穴１０６、隔壁７の弾性体７５等を設けることは云う迄もない。
【００４６】
また、実施の形態１，２においては、集塵ケース３０の開口部３３の下流側のフィルタ１４０に、プリーツ状のフィルタ部材１４５を用いた場合を示したが、本発明はこれに限定するものではなく、例えば平板状のフィルタ等、他の形状、構造のフィルタ部材を用いたフィルタにも本発明を実施することができる。
【００４７】
［実施の形態３］
図１６及び図１７は本発明に係る電気掃除機の集塵ケースの開口部に装着される実施の形態３に係る１個又は複数個のフィルタの下流側のフィルタの正面図及びそのＡ−Ａ拡大断面図である。なお、実施の形態１に係る第２のフィルタと同じ部分にはこれと同じ符号を付してある。図１６及び図１７のフィルタ１４０は、上記の実施形態１及び２の帯状部１４６の代わりに、プリーツ状のフィルタ部材１４５の頂部に、樹脂からなる補強リブ１４９を一体成形したものである。なお、この例では、補強リブ１４９を枠体１４１から或る一定の長さＬで一体成形している。このように構成したフィルタ１４０によれば、上記の実施形態１及び２と同様な効果が得られるが、その他に、成形性も向上するという効果が得られる。
【図面の簡単な説明】
【００４８】
【図１】本発明の実施の形態１に係る電気掃除機の掃除機本体の縦断面図である。
【図２】本発明に係る電気掃除機の全体構成を示す斜視図である。
【図３】図１の隔壁に設けた通風口、振動板ケース及び振動板の斜視図である。
【図４】図３の振動板ケースに振動板を組み込んだ状態を示す正面図である。
【図５】図１の動力伝達部の縦断面図及び作用説明図である。
【図６】図５の平断面図である。
【図７】図１の集塵ケースの側面図である。
【図８】図７のフィルタ組立体の斜視図である。
【図９】図７の下流側のフィルタの正面図である。
【図１０】図９のＡ−Ａ拡大断面図である。
【図１１】本発明の実施の形態２に係る集塵ケースの下流側のフィルタの正面図である。
【図１２】図１１のフィルタの他の例の正面図である。
【図１３】図１１のフィルタの他の例の正面図である。
【図１４】図１１のフィルタの他の例の正面図である。
【図１５】図１１のフィルタの他の例の正面図である。
【図１６】本発明の実施形態３に係る集塵ケースの下流側のフィルタの正面図である。
【図１７】図１６のＡ−Ａ拡大断面図である。
【符号の説明】
【００４９】
１  掃除機本体、２  集塵ケース収容部、７  隔壁、７２  通風口、７５  弾性体、１０  振動板ケース、１０４ａ，１０４ｂ  支持部、１０６  貫通穴、１１  振動板、１１３ａ，１１３ｂ  支持軸、１１４  ピン、１１５ａ，１１５ｂ  突出部、１２  動力伝達部、１２２  直流電動機、１２４  偏心カム、１２５  ピストン、１４  電動送風機、１６  制御部、３０  集塵ケース、３３  開口部、１３０  フィルタ組立体、１４０  第２のフィルタ（下流側のフィルタ）、１４５  プリーツ状のフィルタ部材、１４６  帯状部、１４６ａ  リブ、１４７  凹凸面、１４８  櫛歯、１４９  補強リブ。
【図１】
2008006079.tif 000003
【図２】
2008006079.tif 000004
【図３】
2008006079.tif 000005
【図４】
2008006079.tif 000006
【図５】
2008006079.tif 000007
【図６】
2008006079.tif 000008
【図７】
2008006079.tif 000009
【図８】
2008006079.tif 000010
【図９】
2008006079.tif 000011
【図１０】
2008006079.tif 000012
【図１１】
2008006079.tif 000013
【図１２】
2008006079.tif 000014
【図１３】
2008006079.tif 000015
【図１４】
2008006079.tif 000016
【図１５】
2008006079.tif 000017
【図１６】
2008006079.tif 000018
【図１７】
2008006079.tif 000019